(57)【要約】【課題】多重空間レイヤーを通して送信されるアップリンク物理共有チャネル（ＰＵＳＣＨ）でアップリンク制御情報（ＵＣＩ）及びデータ情報をマルチプレキシングする装置及び方法を提供する。【解決手段】ＵＣＩマルチプレキシングは、上記データ情報が多重トランスポートブロック（ＴＢ）を使用して伝達される場合に各空間レイヤーで符号化されたＵＣＩシンボルの個数を決定する動作と、上記ＰＵＳＣＨがハイブリッド自動再送要求（ＨＡＲＱ）プロセスのための単一ＴＢ再送信を伝達する場合に各空間レイヤーで符号化されたＵＣＩシンボルの個数を決定する動作とを含み、一方、多重ＴＢを伝達するＰＵＳＣＨで同一のＨＡＲＱプロセスに対する初期ＴＢ送信が存在した場合では上記符号化されたＵＣＩシンボルのための変調方式を決定する動作を含む。【選択図】図７
2014082774.tif 000002
【特許請求の範囲】
【請求項１】
アップリンク物理共有チャネル（ＰＵＳＣＨ）を通じてアップリンク制御情報（ＵＣＩ）を送信する方法であって、
データビットとＵＣＩビットを各々コーディングするステップと、
前記コーディングされたデータビットとＵＣＩビットをマルチプレキシングして送信するステップと、を含み、
前記ＰＵＳＣＨは二つの送信ブロック（ＴＢ）で構成され、
前記ＵＣＩの各階層でコーディングされた変調シンボルの個数は、第１のＴＢのサイズと関連した値と、第１のＴＢのＰＵＳＣＨシンボルの個数及びスケジューリングされたバンド幅と、第２のＴＢのサイズと関連した値と、第２のＴＢのＰＵＳＣＨシンボルの個数及びスケジューリングされたバンド幅と、前記ＵＣＩのビット数と、オフセットに従う関数に基づいたパラメータによりＵＣＩの各階層別コーディング変調シンボルの個数が決定されることを特徴とするアップリンク制御情報送信方法。
【請求項２】
前記関数は、次の数式
【数１】
2014082774.tif 000107
を示し、前記数式で
【数２】
2014082774.tif 000108
は対応する数を最も近いその数より大きな整数に変換するシーリング関数を示し、Ｏは前記ＵＣＩのビットの個数を示し、
【数３】
2014082774.tif 000109
は該当送信ブロックのための初期ＰＵＳＣＨ送信のためにスケジューリングされた帯域幅を示し、
【数４】
2014082774.tif 000110
は同一の送信ブロックのための初期ＰＵＳＣＨ送信でサブフレーム当たりシンボルの個数を示し、
【数５】
2014082774.tif 000111
はＰＵＳＣＨのオフセットを示し、ＣはＴＢのデータコードブロックの全体個数を示し、
【数６】
2014082774.tif 000112
はでＴＢｊデータコードブロックｒのためのビットの個数を示し、ｊは送信ブロックを示すものでｊ＝０，１であることを特徴とする請求項１に記載のアップリンク制御情報送信方法。
【請求項３】
前記ＵＣＩは、ハイブリッド自動再送要求（ＨＡＲＱ）−ＡＣＫまたはランク指示子（ＲＩ）であることを特徴とする請求項１または２に記載のアップリンク制御情報送信方法。
【請求項４】
前記パラメータは、次の数式
【数７】
2014082774.tif 000113
に基づいて決定され、
前記数式で、
【数８】
2014082774.tif 000114
は送信ブロックのための現在サブフレームでのＰＵＳＣＨ送信のためにスケジューリングされた帯域幅を示すことを特徴とする請求項２に記載のアップリンク制御情報送信方法。
【請求項５】
アップリンク物理共有チャネル（ＰＵＳＣＨ）を通じてアップリンク制御情報（ＵＣＩ）を送信する装置であって、
データビットとＵＣＩビットを各々コーディングするコーディング部と、
前記コーディングされたデータビットとＵＣＩビットをマルチプレキシングして送信する送信部と、を含み、
前記ＰＵＳＣＨは二つの送信ブロック（ＴＢ）で構成され、
前記ＵＣＩの各階層でコーディングされた変調シンボルの個数は、第１のＴＢのサイズと関連した値と、第１のＴＢのＰＵＳＣＨシンボルの個数及びスケジューリングされたバンド幅と、第２のＴＢのサイズと関連した値と、第２のＴＢのＰＵＳＣＨシンボルの個数及びスケジューリングされたバンド幅と、前記ＵＣＩのビット数と、オフセットに従う関数に基づいたパラメータによりＵＣＩの各階層別コーディング変調シンボルの個数が決定されることを特徴とするアップリンク制御情報送信装置。
【請求項６】
前記関数は、次の数式
【数９】
2014082774.tif 000115
を示し、前記数式で、
【数１０】
2014082774.tif 000116
は対応する数を最も近いその数より大きな整数に変換するシーリング関数を示し、Ｏは前記ＵＣＩのビットの個数を示し、
【数１１】
2014082774.tif 000117
は該当送信ブロックのための現在サブフレームでの初期ＰＵＳＣＨ送信のためにスケジューリングされた帯域幅を示し、
【数１２】
2014082774.tif 000118
は同一の送信ブロックのための初期ＰＵＳＣＨ送信でサブフレーム当たりシンボルの個数を示し、
【数１３】
2014082774.tif 000119
はＰＵＳＣＨのオフセットを示し、ＣはＴＢのデータコードブロックの全体個数を示し、
【数１４】
2014082774.tif 000120
はＴＢｊでデータコードブロックｒのためのビットの個数を示し、ｊは送信ブロックを示すものでｊ＝０，１であることを特徴とする請求項５に記載のアップリンク制御情報送信装置。
【請求項７】
前記ＵＣＩは、ハイブリッド自動再送要求（ＨＡＲＱ）−ＡＣＫまたはランク指示子（ＲＩ）であることを特徴とする請求項５又は６に記載のアップリンク制御情報送信装置。
【請求項８】
前記パラメータは、次の数式
【数１５】
2014082774.tif 000121
に基づいて決定され、
前記数式で、
【数１６】
2014082774.tif 000122
は送信ブロックのための現在サブフレームでのＰＵＳＣＨ送信のためにスケジューリングされた帯域幅を示すことを特徴とする請求項６に記載のアップリンク制御情報送信装置。
【請求項９】
アップリンク物理共有チャネル（ＰＵＳＣＨ）を通じてアップリンク制御情報（ＵＣＩ）を受信する方法であって、
信号を受信してデータビットとＵＣＩビットにデマルチプレキシングする過程と、
前記デマルチプレキシングされたデータビットとＵＣＩビットを各々デコーディングするステップと、を含み、
前記ＰＵＳＣＨは二つの送信ブロック（ＴＢ）で構成され、
前記ＵＣＩの各階層でコーディングされた変調シンボルの個数は、第１のＴＢのサイズと関連した値と、第１のＴＢのＰＵＳＣＨシンボルの個数及びスケジューリングされたバンド幅と、第２のＴＢのサイズと関連した値と、第２のＴＢのＰＵＳＣＨシンボルの個数及びスケジューリングされたバンド幅と、前記ＵＣＩのビット数と、オフセットに従う関数に基づいたパラメータによりＵＣＩの各階層別コーディング変調シンボルの個数が決定されることを特徴とするアップリンク制御情報受信方法。
【請求項１０】
前記関数は、次の数式
【数１７】
2014082774.tif 000123
を示し、前記数式で
【数１８】
2014082774.tif 000124
は対応する数を最も近いその数より大きな整数に変換するシーリング関数を示し、Ｏは前記ＵＣＩのビットの個数を示し、
【数１９】
2014082774.tif 000125
は該当送信ブロックのための現在サブフレームでの初期ＰＵＳＣＨ送信のためにスケジューリングされた帯域幅を示し、
【数２０】
2014082774.tif 000126
は同一の送信ブロックのための初期ＰＵＳＣＨ送信でサブフレーム当たりシンボルの個数を示し、
【数２１】
2014082774.tif 000127
はＰＵＳＣＨのオフセットを示し、ＣはＴＢのデータコードブロックの全体個数を示し、
【数２２】
2014082774.tif 000128
はＴＢｊでデータコードブロックｒのためのビットの個数を示し、ｊは送信ブロックを示すものでｊ＝０，１であることを特徴する請求項９に記載のアップリンク制御情報受信方法。
【請求項１１】
前記ＵＣＩは、ハイブリッド自動再送要求（ＨＡＲＱ）−ＡＣＫまたはランク指示子（ＲＩ）であることを特徴する請求項９又は１０に記載のアップリンク制御情報受信方法。
【請求項１２】
前記パラメータは、次の数式
【数２３】
2014082774.tif 000129
に基づいて決定され、
前記数式で、
【数２４】
2014082774.tif 000130
は送信ブロックのための現在サブフレームでのＰＵＳＣＨ送信のためにスケジューリングされた帯域幅を示すことを特徴する請求項１０に記載のアップリンク制御情報受信方法。
【請求項１３】
アップリンク物理共有チャネル（ＰＵＳＣＨ）を通じてアップリンク制御情報（ＵＣＩ）を受信する装置であって、
信号を受信してデータビットとＵＣＩビットにデマルチプレキシングする受信部と、
前記デマルチプレキシングされたデータビットとＵＣＩビットを各々デコーディングするデコーディング部と、を含み、
前記ＰＵＳＣＨは二つの送信ブロック（ＴＢ）で構成され、
前記ＵＣＩの各階層でコーディングされた変調シンボルの個数は、第１のＴＢのサイズと関連した値と、第１のＴＢのＰＵＳＣＨシンボルの個数及びスケジューリングされたバンド幅と、第２のＴＢのサイズと関連した値と、第２のＴＢのＰＵＳＣＨシンボルの個数及びスケジューリングされたバンド幅と、前記ＵＣＩのビット数と、オフセットに従う関数に基づいたパラメータによりＵＣＩの各階層別コーディング変調シンボルの個数が決定されることを特徴とするアップリンク制御情報受信装置。
【請求項１４】
前記関数は、次の数式
【数２５】
2014082774.tif 000131
を示し、前記数式で
【数２６】
2014082774.tif 000132
は対応する数を最も近いその数より大きな整数に変換するシーリング関数を示し、Ｏは前記ＵＣＩのビットの個数を示し、
【数２７】
2014082774.tif 000133
は該当送信ブロックのための現在サブフレームでの初期ＰＵＳＣＨ送信のためにスケジューリングされた帯域幅を示し、
【数２８】
2014082774.tif 000134
は同一の送信ブロックのための初期ＰＵＳＣＨ送信でサブフレーム当たりシンボルの個数を示し、
【数２９】
2014082774.tif 000135
はＰＵＳＣＨのオフセットを示し、ＣはＴＢのデータコードブロックの全体個数を示し、
【数３０】
2014082774.tif 000136
はＴＢｊでデータコードブロックｒのためのビットの個数を示し、ｊは送信ブロックを示すものでｊ＝１，０であることを特徴とする請求項１３に記載のアップリンク制御情報受信装置。
【請求項１５】
前記ＵＣＩは、ハイブリッド自動再送要求（ＨＡＲＱ）−ＡＣＫまたはランク指示子（ＲＩ）であることを特徴とする請求項１３又は１４に記載のアップリンク制御情報受信装置。
【請求項１６】
前記パラメータは、次の数式
【数３１】
2014082774.tif 000137
に基づいて決定され、
前記数式で、
【数３２】
2014082774.tif 000138
は送信ブロックのための現在サブフレームでのＰＵＳＣＨ送信のためにスケジューリングされた帯域幅を示すことを特徴とする請求項１０に記載のアップリンク制御情報受信装置。
【発明の詳細な説明】
【技術分野】
【０００１】
本発明は、無線通信システムに関し、特に、通信システムのアップリンクで送信された物理チャネルで制御情報及びデータ情報をマルチプレキシングする装置及び方法に関する。
【背景技術】
【０００２】
通信システムは、基地局（（Ｂａｓｅ  Ｓｔａｔｉｏｎ：ＢＳ）又はＮｏｄｅ  Ｂ）から信号の送信をユーザー端末機（Ｕｓｅｒ  Ｅｑｕｉｐｍｅｎｔ：ＵＥ）に伝達するダウンリンク（ＤｏｗｎＬｉｎｋ：ＤＬ）と、ＵＥからの信号の送信をＮｏｄｅ  Ｂに伝達するアップリンク（ＵｐＬｉｎｋ：ＵＬ）とを含む。また、ＵＥは、一般的に、端末機又は移動端末機と呼ばれ、固定されるか又は移動可能であり、無線デバイスと、セルラーフォンと、パーソナルコンピュータデバイスなどになることができる。また、Ｎｏｄｅ  Ｂは、一般的に固定局であり、基地局送受信器システム（Ｂａｓｅ  Ｔｒａｎｓｃｅｉｖｅｒ  Ｓｙｓｔｅｍ：ＢＴＳ）、アクセスポイント、又は他の名称でも呼ばれることがある。
【０００３】
ＵＬは、ＤＬでの情報コンテンツを伝達するデータ信号と、このデータ信号の送信と関連した情報を提供する制御信号と、パイロット信号としてもよく知られている基準信号（Ｒｅｆｅｒｅｎｃｅ  Ｓｉｇｎａｌ：ＲＳ）の送信をサポートする。ＤＬもデータ信号、制御信号、及びＲＳの送信をサポートする。
【０００４】
ＤＬデータ信号は、ダウンリンク物理共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）を通して伝達される。ＵＬデータ信号は、アップリンク物理共有チャネル（Ｐｈｙｓｉｃａｌ  Ｕｐｌｉｎｋ  Ｓｈａｒｅｄ  ＣＨａｎｎｅｌ：ＰＵＳＣＨ）を通して伝達される。
【０００５】
ＤＬ制御チャネルは、ブロードキャスティングされるか又はＵＥに特定される（ＵＥ−ｓｐｅｃｉｆｉｃ）形態で送信されることができる。したがって、ＵＥに特定される制御チャネル信号は、他の様々な目的のうちでＰＤＳＣＨ受信のためのスケジューリング割り当て（Ｓｃｈｅｄｕｌｉｎｇ  Ａｓｓｉｇｎｍｅｎｔ：ＳＡ）（ＤＬ  ＳＡ）又はＰＵＳＣＨ送信のためのＳＡ（ＵＬ  ＳＡ）をＵＥに提供するために使用されることができる。ＳＡは、Ｎｏｄｅ  ＢからＵＥのそれぞれにダウンリンク物理制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）のそれぞれを通してダウンリンク制御情報（Ｄｏｗｎｌｉｎｋ  Ｃｏｎｔｒｏｌ  Ｉｎｆｏｒｍａｔｉｏｎ：ＤＣＩ）フォーマットを使用して送信される。
【０００６】
ＰＵＳＣＨ送信が存在しない場合に、ＵＥは、アップリンク物理制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）を通してアップリンク制御情報（Ｕｐｌｉｎｋ  Ｃｏｎｔｒｏｌ  Ｉｎｆｏｒｍａｔｉｏｎ：ＵＣＩ）を伝達する。しかしながら、ＵＥは、ＰＵＳＣＨ送信が存在する場合に、ＰＵＳＣＨを通してデータ情報とともにＵＣＩを伝達することができる。
【０００７】
ＵＣＩは、ハイブリッド自動再送要求（Ｈｙｂｒｉｄ  Ａｕｔｏｍａｔｉｃ  Ｒｅｐｅａｔ  ｒｅｑｕｅｓｔ：ＨＡＲＱ）プロセスの使用に関連した認知（ＡＣＫｎｏｗｌｅｄｇｍｅｎｔ：ＡＣＫ）情報を含む。ＨＡＲＱ−ＡＣＫ情報は、ＰＤＳＣＨにより伝達されるトランスポートブロック（Ｔｒａｎｓｐｏｒｔ  Ｂｌｏｃｋ：ＴＢ）に応じてＵＥにより送信される。
【０００８】
ＵＣＩは、チャネル品質指示子（Ｃｈａｎｎｅｌ  Ｑｕａｌｉｔｙ  Ｉｎｄｉｃａｔｏｒ：ＣＱＩ）、プリコーディングマトリックス指示子（Ｐｒｅｃｏｄｉｎｇ  Ｍａｔｒｉｘ  Ｉｎｄｉｃａｔｏｒ：ＰＭＩ）、又はランク指示子（Ｒａｎｋ  Ｉｎｄｉｃａｔｏｒ：ＲＩ）も含むことができ、ＣＱＩ、ＰＭＩ、又はＲＩは、“チャネル状態情報（Ｃｈａｎｎｅｌ  Ｓｔａｔｅ  Ｉｎｆｏｒｍａｔｉｏｎ：ＣＳＩ）”として共同で呼ばれることができる。ＣＱＩは、サブ帯域（ｓｕｂ−ｂａｎｄ）又は全動作ＤＬ帯域幅（ＢａｎｄＷｉｄｔｈ：ＢＷ）を通してＵＥが経験する信号対干渉雑音比（Ｓｉｇｎａｌ  ｔｏ  Ｉｎｔｅｒｆｅｒｅｎｃｅ  ａｎｄ  Ｎｏｉｓｅ  Ｒａｔｉｏ：ＳＩＮＲ）の測定値をＮｏｄｅ  Ｂに提供する。ＳＩＮＲ測定値は、一般的に予め定められたブロックエラーレート（ＢＬｏｃｋ  Ｅｒｒｏｒ  Ｒａｔｅ：ＢＬＥＲ）がＴＢの送信のために取得されることができるように最高変調及び符号化方式（Ｍｏｄｕｌａｔｉｏｎ  ａｎｄ  Ｃｏｄｉｎｇ  Ｓｃｈｅｍｅ：ＭＣＳ）形態を有する。ＭＣＳは、データ情報の送信に適用される変調次数（ｍｏｄｕｌａｔｉｏｎ  ｏｒｄｅｒ）（変調シンボル当たりのデータビットの個数）と符号化率（ｃｏｄｉｎｇ  ｒａｔｅ）との積を示す。ＰＭＩ／ＲＩは、どのように多入力多出力（Ｍｕｌｔｉｐｌｅ  Ｉｎｐｕｔ  Ｍｕｌｔｉｐｌｅ  Ｏｕｔｐｕｔ：ＭＩＭＯ）原理を使用する多重Ｎｏｄｅ  ＢアンテナからＵＥに信号送信が結合されるかをＮｏｄｅ  Ｂに通知する。
【０００９】
図１は、従来のＰＵＳＣＨ送信構造を示す図である。説明の簡素化のために、送信時間間隔（Ｔｒａｎｓｍｉｓｓｉｏｎ  Ｔｉｍｅ  Ｉｎｔｅｒｖａｌ：ＴＴＩ）は、２個のスロットを含む１個のサブフレーム（ｏｎｅ  ｓｕｂ−ｆｒａｍｅ）１１０である。各スロット１２０は、データ信号、ＵＣＩ信号、又はＲＳの送信のために使用される
【数１】
2014082774.tif 000003
個のシンボルを含む。各シンボル１３０は、チャネル伝搬効果（ｃｈａｎｎｅｌ  ｐｒｏｐａｇａｔｉｏｎ  ｅｆｆｅｃｔ）による干渉を緩和させるためのサイクリックプレフィックス（Ｃｙｃｌｉｃ  Ｐｒｅｆｉｘ：ＣＰ）を含む。１つのスロットでのＰＵＳＣＨ送信は、他のスロットでのＰＵＳＣＨ送信と同一のＢＷ又は他のＢＷで存在することができる。各スロットでのいくつかのシンボルは、受信されたデータ信号及び／又はＵＣＩ信号のチャネルを推定し、コヒーレント（ｃｏｈｅｒｅｎｔ）変調を可能にするＲＳ１４０を送信するために使用される。送信ＢＷは、周波数リソースユニットを含み、ここで、周波数リソースユニットは“物理リソースブロック（Ｐｈｙｓｉｃａｌ  Ｒｅｓｏｕｒｃｅ  Ｂｌｏｃｋ：ＰＲＢ）”と呼ばれるのであろう。各ＰＲＢは、
【数２】
2014082774.tif 000004
個のサブキャリア（ｓｕｂ−ｃａｒｒｉｅｒ）又はリソースエレメント（Ｒｅｓｏｕｒｃｅ  Ｅｌｅｍｅｎｔ：ＲＥ）を含み、ＰＵＳＣＨ送信ＢＷのために総
【数３】
2014082774.tif 000005
個のＲＥのためのＭＰＵＳＣＨ個のＰＲＢ１５０がＵＥに割り当てられる。最後のサブフレームシンボルは、１つ又はそれ以上のＵＥからのサウンディング（ｓｏｕｎｄｉｎｇ）ＲＳ（Ｓｏｕｎｄｉｎｇ  ＲＳ：ＳＲＳ）１６０の送信のために使用されることができる。ＳＲＳは、各ＵＥのためのＵＬチャネル媒体に対するＣＱＩ推定値をＮｏｄｅ  Ｂに提供する。ＳＲＳ送信パラメータは、例えば、無線リソース制御（Ｒａｄｉｏ  Ｒｅｓｏｕｒｃｅ  Ｃｏｎｔｒｏｌ：ＲＲＣ）シグナリングのような上位レイヤーシグナリングを通してＮｏｄｅ  Ｂにより各ＵＥに半静的に（ｓｅｍｉ−ｓｔａｔｉｃａｌｌｙ）構成される。データ送信に有用なサブフレームシンボルの個数は、
【数４】
2014082774.tif 000006
であり、ここで、最後のサブフレームシンボルがＰＵＳＣＨ  ＢＷとオーバーラップされるＢＷを有するＳＲＳ送信のために使用される場合にはＮＳＲＳ＝１であり、そうでない場合にはＮＳＲＳ＝０である。
【００１０】
図２は、ＰＵＳＣＨでデータ信号、ＣＳＩ信号、及びＨＡＲＱ−ＡＣＫ信号を送信する従来の送信器の構造を示す図である。
【００１１】
符号化されたＣＳＩビット２０５及び符号化されたデータビット２１０がマルチプレキシングされる（２２０）。その後に、ＨＡＲＱ−ＡＣＫビットは、データビット及び／又はＣＳＩビット２３０をパンクチャーリングすることにより挿入される。その後に、離散フーリエ変換（Ｄｉｓｃｒｅｔｅ  Ｆｏｕｒｉｅｒ  Ｔｒａｎｓｆｏｒｍ：ＤＦＴ）がＤＦＴユニット２４０により実行され、この後に、ＲＥは、制御器２５５からのＰＵＳＣＨ送信ＢＷに対応してサブキャリアマッピングユニット２５０により選択され、逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）は、ＩＦＦＴユニット２６０により実行され、最後に、ＣＰ挿入は、ＣＰ挿入ユニット２７０により実行され、時間ウィンドーイング（ｔｉｍｅ  ｗｉｎｄｏｗｉｎｇ）は、フィルター２８０により実行され、したがって、送信信号２９０が生成される。ＰＵＳＣＨ送信は、１個のクラスター２９５Ａ（また、単一キャリア周波数分割多重接続（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ：ＳＣ−ＦＤＭＡ）方法とも知られている）を通してか、又は複数の不連続クラスター２９５Ｂを通して信号を送信する方法であるＤＦＴ拡散直交周波数分割多重接続（Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＤＦＴ−Ｓ−ＯＦＤＭＡ）方法に従って連続したＲＥのクラスター（ｃｌｕｓｔｅｒ）を通して行われると仮定する。
【００１２】
図３は、図２に示すような送信信号を受信する従来の受信器を示す図である。
【００１３】
アンテナが無線周波数（Ｒａｄｉｏ−Ｆｒｅｑｕｅｎｃｙ：ＲＦ）アナログ信号を受信した後であって、さらに説明の簡素性のために別途に図示されないが、フィルター、増幅器、周波数ダウンコンバータ（ｆｒｅｑｕｅｎｃｙ−ｄｏｗｎ  ｃｏｎｖｅｒｔｅｒ）、及びアナログ−ディジタルコンバータ（ａｎａｌｏｇ−ｔｏ−ｄｉｇｉｔａｌ  ｃｏｎｖｅｒｔｅｒ）のような追加のプロセッシングユニットの後に、受信ディジタル信号３１０は、フィルター３２０によりフィルタリングされ、ＣＰ除去ユニット３３０によりＣＰが除去される。連続して、受信器ユニットは、高速フーリエ変換（Ｆａｓｔ  Ｆｏｕｒｉｅｒ  Ｔｒａｎｓｆｏｒｍ：ＦＦＴ）ユニット３４０によりＦＦＴを適用し、制御器３５５の制御によりサブキャリアデマッピング（ｄｅｍａｐｐｉｎｇ）ユニット３５０を使用して送信器により使用されたＲＥを選択し、逆ＤＦＴ（Ｉｎｖｅｒｓｅ  ＤＦＴ：ＩＤＦＴ）ユニット３６０を使用してＩＤＦＴを適用し、抽出ユニット３７０は、ＨＡＲＱ−ＡＣＫビットを抽出し、デマルチプレキシング（ｄｅ−ｍｕｌｔｉｐｌｅｘｉｎｇ）ユニット３８０は、データビット３９０及びＣＳＩビット３９５をデマルチプレキシングする。
【００１４】
ＰＵＳＣＨでＨＡＲＱ−ＡＣＫを送信するか又はＲＩを送信するために、ＵＥは、下記数式１に示すように各符号化されたシンボルの個数
【数５】
2014082774.tif 000007
を決定する。
【００１５】
【数６】
2014082774.tif 000008
【００１６】
数式１において、ＯはＨＡＲＱ−ＡＣＫ情報ビットの個数又はＲＩ情報ビットの個数を示し、
【数７】
2014082774.tif 000009
は、ＲＲＣシグナリングを通してＵＥに知られ、Ｑｍは変調シンボル当たりのデータビットの個数を示し（ここで、直交位相シフトキーイング（Ｑｕａｄｒａｔｕｒｅ  Ｐｈａｓｅ  Ｓｈｉｆｔ  Ｋｅｙｉｎｇ：ＱＰＳＫ）、直交振幅変調（Ｑｕａｄｒａｔｕｒｅ  Ａｍｐｌｉｔｕｄｅ  Ｍｏｄｕｌａｔｉｏｎ：ＱＡＭ）１６、ＱＡＭ６４のそれぞれに対してＱｍ＝２，４，６である）、Ｒは同一のＴＢの初期ＰＵＳＣＨ送信のためのデータコードレートを示し、
【数８】
2014082774.tif 000010
は現在のサブフレームでのＰＵＳＣＨ送信ＢＷを示し、
【数９】
2014082774.tif 000011
は対応する数を最も近いその数より大きな整数に変換するシーリング（ｃｅｉｌｉｎｇ）動作を示す。ＨＡＲＱ−ＡＣＫ  ＲＥ又はＲＩ  ＲＥの最大個数は４ＤＦＴ−Ｓ−ＯＦＤＭシンボル（４・
【数１０】
2014082774.tif 000012
）のＲＥに限定される。
【００１７】
上述した数式１において、ＨＡＲＱ−ＡＣＫ符号化されたシンボル又はＲＩ符号化されたシンボルの個数は、データ受信信頼性ターゲット（ＢＬＥＲ）に基づいて各受信信頼性ターゲット（ＢＬＥＲ）を取得するために導出される。与えられたＵＬチャネル条件に対して、データＢＬＥＲは、この積Ｑｍ・Ｒにより定義されるデータＭＣＳに基づいており、ＨＡＲＱ−ＡＣＫ  ＢＬＥＲ又はＲＩ  ＢＬＥＲとデータＢＬＥＲとの間のリンクはこの
【数１１】
2014082774.tif 000013
パラメータにより形成される。固定されたＵＣＩ  ＢＬＥＲターゲットに対して、
【数１２】
2014082774.tif 000014
パラメータは、
【数１３】
2014082774.tif 000015
値を変更させることによりＮｏｄｅ  ＢスケジューラがデータＢＬＥＲを変更させることを許容する。例えば、上述した数式１から、Ｎｏｄｅ  ＢスケジューラはＢＬＥＲターゲットを増加させることができ（Ｑｍ・Ｒを増加させることにより）、また、
【数１４】
2014082774.tif 000016
値を同じだけ増加させることにより同一のＵＣＩ  ＢＬＥＲターゲットを保持することができる。
【００１８】
同一のＴＢに対する初期ＰＵＳＣＨ送信に関連して、上述した数式１において、符号化されたＨＡＲＱ−ＡＣＫシンボル又は符号化されたＲＩシンボルの個数をディメンショニング（ｄｉｍｅｎｓｉｏｎｉｎｇ）する理由は、各ターゲットＢＬＥＲが同一のＴＢに対する初期ＰＵＳＣＨ送信のためのデータＢＬＥＲに応じて決定されるためである。また、同一のＴＢに対するＨＡＲＱ再送信は適用することができない。
【００１９】
同一のＴＢに対する初期ＰＵＳＣＨ送信のためのデータコードレートＲは、下記数式２に示すように定義される。
【００２０】
【数１５】
2014082774.tif 000017
【００２１】
上述した数式２において、ＣはＴＢのデータコードブロックの総数を示し、Ｋｒはデータコードブロックｒのためのビットの個数を示し、
【数１６】
2014082774.tif 000018
及び
【数１７】
2014082774.tif 000019
のそれぞれは、ＰＵＳＣＨ  ＢＷ（サブキャリアの個数）及びＤＦＴ−Ｓ−ＯＦＤＭシンボルの個数を示す。したがって、上述した数式１は、下記数式３と同一である。
【００２２】
【数１８】
2014082774.tif 000020
【００２３】
ＵＥが１個のＴＢを受信する時に、ＴＢが正確に受信される場合（肯定認知（ｐｏｓｉｔｉｖｅ  ａｃｋｎｏｗｌｅｄｇｅｍｅｎｔ）又はＡＣＫ）、ＨＡＲＱ−ＡＣＫは２進数‘１’でエンコーディングされた１ビットを含み、又はＴＢが不正確に受信される場合（否定認知（ｎｅｇａｔｉｖｅ  ＡＣＫｎｏｗｌｅｄｇｍｅｎｔ）又はＮＡＣＫ）に、ＨＡＲＱ−ＡＣＫは２進数‘０’でエンコーディングされた１ビットを含む。ＵＥが２個のＴＢを受信する時に、ＨＡＲＱ−ＡＣＫは、ＴＢ０に対しては
【数１９】
2014082774.tif 000021
であり、ＴＢ１に対しては
【数２０】
2014082774.tif 000022
である２ビット
【数２１】
2014082774.tif 000023
を含む。ＨＡＲＱ−ＡＣＫビットに対するエンコーディングは、下記表１に示すように与えられ、下記表１において、２ビットＨＡＲＱ−ＡＣＫ送信のための（３，２）シンプレックスコード（ｓｉｍｐｌｅｘ  ｃｏｄｅ）を提供するために
【数２２】
2014082774.tif 000024
となる。
【００２４】
【表１】
2014082774.tif 000025
【００２５】
ＰＵＳＣＨにおいて、ＣＱＩ／ＰＭＩをマルチプレキシングするために、ＵＥは、下記数式４又は数式５に示すように各符号化されたシンボル
【数２３】
2014082774.tif 000026
の個数を決定する。
【００２６】
【数２４】
2014082774.tif 000027
【００２７】
【数２５】
2014082774.tif 000028
【００２８】
上述した数式４及び数式５において、Ｏは、ＣＱＩ／ＰＭＩ情報ビットの個数を示し、Ｌは
【数２６】
2014082774.tif 000029
及び
【数２７】
2014082774.tif 000030
により与えられたサイクリック冗長検査（Ｃｙｃｌｉｃ  Ｒｅｄｕｎｄａｎｃｙ  Ｃｈｅｃｋ：ＣＲＣ）ビットの個数を示す。ＲＩが送信されない場合に、ＱＲＩ＝０である。ＣＱＩ／ＰＭＩチャネル符号化のために、Ｏ＞１１ビットである場合には畳み込み符号化（ｃｏｎｖｏｌｕｔｉｏｎａｌ  ｃｏｄｉｎｇ）が使用され、Ｏ≦１１ビットである場合には（３２，Ｏ）リ―ドミューラー（Ｒｅｅｄ−Ｍｕｅｌｌｅｒ：ＲＭ）ブロック符号化が使用される。（３２，Ｏ）ブロックコードのコードワードは、Ｍｉ，ｎにより定義される１１個の基底シーケンス（ｂａｓｉｓ  ｓｅｑｕｅｎｃｅ）の線形組み合せ（ｌｉｎｅａｒ  ｃｏｍｂｉｎａｔｉｏｎ）である。この入力シーケンスが
【数２８】
2014082774.tif 000031
であり、このエンコーディングされたＣＱＩ／ＰＭＩブロックが
【数２９】
2014082774.tif 000032
で定義される場合に、
【数３０】
2014082774.tif 000033
である。ここで、ｉ＝０、１、２、．．．、Ｂ−１である。この出力シーケンス
【数３１】
2014082774.tif 000034
は、エンコーディングされたＣＱＩ／ＰＭＩブロックの循環反復（ｃｉｒｃｕｌａｒ  ｒｅｐｅｔｉｔｉｏｎ）を通して
【数３２】
2014082774.tif 000035
のように取得される。ここで、ｉ＝０、１、２、．．．、ＱＣＱＩ−１である。
【００２９】
ＵＣＩの中で、ＨＡＲＱ−ＡＣＫは、最も高い信頼性要求を有し、この各ＲＥは、この各ＲＥの復調のために最も正確なチャネル推定値を取得するために各スロットでＲＳの次に位置する。ＣＱＩ／ＰＭＩ送信が存在しない場合に、ＲＩはＨＡＲＱ−ＡＣＫの後のシンボルに位置し、これとは異なり、ＣＱＩ／ＰＭＩ送信はサブフレームの間に均一にマルチプレキシングされる。
【００３０】
図４は、ＰＵＳＣＨサブフレームでのＵＣＩマルチプレキシングを示す図である。
【００３１】
ＨＡＲＱ−ＡＣＫビット４１０は、ＰＵＳＣＨサブフレームの各スロットでＲＳ４２０の次に位置する。ＣＱＩ／ＰＭＩ４３０は、すべてのＤＦＴ−Ｓ−ＯＦＤＭシンボルにわたってマルチプレキシングされ、このサブフレームの残りのビットはデータビット４４０の送信を伝達する。ＤＦＴの前にこのマルチプレキシングが存在するために、仮想周波数次元（ｖｉｒｔｕａｌ  ｆｒｅｑｕｅｎｃｙ  ｄｉｍｅｎｓｉｏｎ）はＵＣＩ配置のために使用される。
【００３２】
ＭＩＭＯ技術は、少なくとも部分的に（すべてではなくても）オーバーラップされる時間−周波数リソースで多重アンテナからの信号送信に関連する。ＭＩＭＯ送信のランクは、空間レイヤー（ｓｐａｔｉａｌ  ｌａｙｅｒ）の個数として定義され、ＵＥ送信器アンテナの個数Ｔより常に小さいか又は同一である。ＵＬにおいて、送信器アンテナが同一のＵＥから構成される場合に、ＭＩＭＯ技術は“単一ユーザーＭＩＭＯ（Ｓｉｎｇｌｅ−Ｕｓｅｒ  ＭＩＭＯ：ＳＵ−ＭＩＭＯ）”と呼ばれ、送信器アンテナが相互に異なるＵＥから構成される場合に、ＭＩＭＯ技術は“多重ユーザーＭＩＭＯ（Ｍｕｌｔｉ−Ｕｓｅｒ  ＭＩＭＯ：ＭＵ−ＭＩＭＯ）”と呼ばれる。ＵＬ  ＳＵ−ＭＩＭＯは、一般的に、Ｔ＝２又はＴ＝４である場合と関連する。
【００３３】
異なるＳＵ−ＭＩＭＯ技術が異なる動作環境をターゲットに使用されることができる。例えば、ランク−１を有するプリコーディングはカバレッジ（ｃｏｖｅｒａｇｅ）を改善させるために使用されることができ、これとは異なりランク−４を有する空間マルチプレキシングは空間効率性（Ｓｐｅｃｔｒａｌ  Ｅｆｆｉｃｉｅｎｃｙ：ＳＥ）を改善させ、データレートを増加させるために使用されることができる。プリコーダ（ｐｒｅｃｏｄｅｒ）はＳ・Ｔマトリックスである。多重空間ストリームは、単一コードワード（Ｃｏｄｅ  Ｗｏｒｄ：ＣＷ）でジョイント（ｊｏｉｎｔ）エンコーディングされるか又は複数の（一般的に２個の）ＣＷに分離されてエンコーディングされることができる。多重ＣＷを使用するもののトレードオフ（ｔｒａｄｅｏｆｆ）は、空間ストリームの各多重集合のためのＭＣＳが個別に調整されることができるものと、単一ＣＷを使用するものを通してフィードバックオーバーヘッド（ｆｅｅｄｂａｃｋ  ｏｖｅｒｈｅａｄ）を増加させなくても最小平均二乗誤差（Ｍｉｎｉｍｕｍ  Ｍｅａｎ  Ｓｑｕａｒｅ  Ｅｒｒｏｒ：ＭＭＳＥ）受信器を通してＳＥを改善させることができる直列干渉除去（Ｓｅｒｉａｌ  Ｉｎｔｅｒｆｅｒｅｎｃｅ  Ｃａｎｃｅｌｌａｔｉｏｎ：ＳＩＣ）受信器が使用されることができるものである。
【００３４】
図５は、ＣＷとレイヤーとの間のマッピングを示す図である。
【００３５】
最大２個のＣＷが存在し、最大２個のＣＷのそれぞれが１個のＴＢと関連する（ここで、１個のＴＢは多重コードブロックにセグメントされる（ｓｅｇｍｅｎｔｅｄ）ことができる）。各ＴＢは、１個のＨＡＲＱプロセス及び１個のＭＣＳと関連する。ランク−１送信５１０に対して、単一空間レイヤーに対応する単一ＣＷ、ＣＷ０が２個（１ｘ２プリコーダー）のＵＥ送信器アンテナ又は４個（１ｘ４プリコーダー）のＵＥ送信器アンテナのためにプリコーディングされる。ランク−２送信５２０に対して、２個の空間レイヤーに対応する２個のＣＷであるＣＷ０及びＣＷ１が２個（２ｘ２プリコーダーマトリックス）のＵＥ送信器アンテナ又は４個（２ｘ４プリコーダマトリックス）のＵＥ送信器アンテナのためにプリコーディングされる。ランク−３送信５３０に対して（ランク−３送信５３０は、４個のＵＥ送信器アンテナのみのために適用可能である）、３個の空間レイヤーに対応する２個のＣＷであるＣＷ０及びＣＷ１はプリコーディングされる（３ｘ４プリコーダマトリックス）。この場合に、ＣＷ０は１個の空間レイヤーを使用して送信され、ＣＷ１は２個の空間レイヤーを使用して送信される。ランク−４送信５４０に対して（ランク−４送信５４０は４個のＵＥ送信器アンテナのみのために適用可能である）、４個の空間レイヤーに対応する２個のＣＷであるＣＷ０及びＣＷ１がプリコーディングされる（４ｘ４プリコーダマトリックス）。この場合に、各ＣＷは２個の空間レイヤーを使用して送信される。
【００３６】
ＳＵ−ＭＩＭＯ送信を有するＰＵＳＣＨでのＵＣＩマルチプレキシングのために、唯一の実際の選択は１個のＣＷにＵＣＩをマルチプレキシングするか、又は２個のＣＷにＵＣＩをマルチプレキシングするのにある。本発明は、２個のＣＷが使用される場合を考慮する。ＵＣＩは、２個のＣＷのすべての空間レイヤーにわたって同一にリプリケートされ（ｒｅｐｌｉｃａｔｅｄ）、ＵＣＩとデータとの間の時分割マルチプレキシング（Ｔｉｍｅ  Ｄｉｖｉｓｉｏｎ  Ｍｕｌｔｉｐｌｅｘｉｎｇ：ＴＤＭ）は、ＵＣＩシンボルがすべてのレイヤーにわたって時間整列（ｔｉｍｅ−ａｌｉｇｎｅｄ）されるようにする。
【００３７】
図６は、ＨＡＲＱ−ＡＣＫ及び２個のレイヤー（２個のＣＷに対応する）の場合に対する上述した原則を示す図である。同一のＲＥ及びＤＦＴ−Ｓ−ＯＦＤＭシンボルは、第１の空間レイヤー（Ｌａｙｅｒ  ０）６２０でＨＡＲＱ−ＡＣＫ６１０をマルチプレキシングするために使用され、第２の空間レイヤー（Ｌａｙｅｒ  １）６４０でＨＡＲＱ−ＡＣＫ６３０をマルチプレキシングするために使用される。
【００３８】
ＵＣＩがＳＵ−ＭＩＭＯを有する同一のＰＵＳＣＨ送信の多重空間レイヤー及び多重ＣＷ（多重ＴＢ）にマルチプレキシングされる場合に、ＵＣＩ送信のために使用されるＲＥの個数を決定する前の数式はこれ以上適用することができない。さらに、Ｎｏｄｅ  Ｂスケジューラは、異なるＢＬＥＲ動作ポイントを異なるＣＷによりそれぞれ伝達される異なるＴＢに割り当てることができる（例えば、ＳＩＣ受信器の性能を向上させるために、ＣＷ０の初期受信はＣＷ１の初期受信に比べてさらに信頼することができる）。
【００３９】
したがって、ＳＵ−ＭＩＭＯ送信を有するＰＵＳＣＨの各空間レイヤーで符号化されたＵＣＩシンボルの個数を決定することが必要となる。
【００４０】
また、ＴＢが相互に異なる受信信頼性の特性を有する場合に、多重ＴＢで送信されるＵＣＩの信頼性ある受信を許容することが必要となる。
【００４１】
また、多重ＴＢで送信されるＵＣＩの受信を処理することを簡素にすることが必要となる。
【００４２】
最後に、単一ＴＢを含む初期ＰＵＳＣＨ送信で多重ＴＢを有するＨＡＲＱプロセスの再送信に対応して単一ＴＢの送信を有するＰＵＳＣＨの各空間レイヤーで符号化されたＵＣＩシンボルの個数を決定することが必要となる。
【発明の概要】
【発明が解決しようとする課題】
【００４３】
本発明の目的は、少なくとも上述した問題点及び／又は不都合に取り組み、少なくとも以下の便宜を提供することにある。すなわち、本発明の目的は、ＵＥがＭＩＭＯ送信原則を使用して多重空間レイヤーを通してデータ情報を伝達するＰＵＳＣＨで制御情報をマルチプレキシングする方法及び装置を提供することにある。
【課題を解決するための手段】
【００４４】
上記のような目的を達成するために、本発明の実施形態の一態様によれば、基地局によりユーザー端末機（Ｕｓｅｒ  Ｅｑｕｉｐｍｅｎｔ：ＵＥ）に周波数領域の
【数３３】
2014082774.tif 000036
個のサブキャリア及び時間領域の複数のシンボルを通して多重送信器アンテナからＰＵＳＣＨの送信が割り当てられ、上記ＰＵＳＣＨは多重空間レイヤーを通して送信され、２個のＣＷであるＣＷ０及びＣＷ１を含み、上記ＣＷ０及びＣＷ１のそれぞれはデータ情報の対応するＴＢであるＴＢ０及びＴＢ１を送信し、上記ＰＵＳＣＨは、それぞれのＨＡＲＱプロセスに関連する各ＴＢの送信と共に送信され、上記ＰＵＳＣＨは、第１のＭＣＳであるＭＣＳ０を有するＣＷ０及び第２のＭＣＳであるＭＣＳ１を有するＣＷ１とともに送信される。上記ＵＥは、各ＨＡＲＱプロセスのためにＴＢ０及びＴＢ１の初期ＰＵＳＣＨ送信のための第１のＭＣＳ及び第２のＭＣＳから平均ＭＣＳを計算し、各空間レイヤーで符号化された情報シンボルの個数Ｑ’を上記制御情報ビットの個数Ｏと、無線リソース制御シグナリングを使用して基地局によりＵＥに割り当てられるパラメータ
【数３４】
2014082774.tif 000037
の積に比例し、かつ上記平均ＭＣＳに反比例するように決定するか又はこれと等価的に次の数式に示すように決定し、
【数３５】
2014082774.tif 000038
上記数式において、
【数３６】
2014082774.tif 000039
は、対応する数を最も近いその数より大きな整数に変換するシーリング（ｃｅｉｌｉｎｇ）関数を示し、ｊ＝０，１に対して各ＨＡＲＱプロセスと
【数３７】
2014082774.tif 000040
のための上記初期ＰＵＳＣＨ送信のための変調次数
【数３８】
2014082774.tif 000041
及び符号化率Ｒｊを有するＭＣＳは、
【数３９】
2014082774.tif 000042
であり、ＣｊはＴＢｊのためのコードブロックの個数を示し、
【数４０】
2014082774.tif 000043
はＴＢｊでのコードブロックｒのためのビットの個数を示し、
【数４１】
2014082774.tif 000044
は初期ＰＵＳＣＨでのサブキャリアの個数を示し、
【数４２】
2014082774.tif 000045
は初期ＰＵＳＣＨでのシンボルの個数を示す。
【００４５】
本発明の実施形態の他の態様によれば、ＵＥは、上記基地局により単一空間レイヤーで多重送信器アンテナから初期ＰＵＳＣＨ送信が割り当てられる場合の符号化された制御情報シンボルの個数と上記基地局により単一送信器アンテナから初期ＰＵＳＣＨ送信が割り当てられる場合の符号化された制御情報シンボルの個数とを同一に決定する。
【００４６】
本発明の実施形態のさらに他の態様によれば、上記基地局は、多重ＴＢをＵＥに伝達するＰＵＳＣＨ送信の各空間レイヤーで符号化された制御情報シンボルの個数を計算するために使用される第１のパラメータ値
【数４３】
2014082774.tif 000046
及び単一ＴＢを伝達するＰＵＳＣＨ送信の各空間レイヤーで符号化された制御情報シンボルの個数を計算するために使用される第２のパラメータ値
【数４４】
2014082774.tif 000047
を割り当てる。
【００４７】
本発明の実施形態のさらに他の態様によれば、多重ＴＢを伝達するＰＵＳＣＨ送信の各空間レイヤーで符号化された制御情報シンボルの変調は、上記多重ＴＢの上記データ情報の次数より小さい次数を有する変調であることを特徴とする。
【００４８】
本発明のさらなる他の態様によれば、ＵＥ装置は、多重空間レイヤーと、各々がデータ情報とそれぞれが前記データ情報の対応するＴＢであるＴＢ０及びＴＢ１とを伝達する２個のＣＷであるＣＷ０及びＣＷ１とにおいてデータ情報をするために基地局により多重送信器アンテナから第１のＰＵＳＣＨの送信が割り当てられ、各ＨＡＲＱプロセスのためのＴＢ０又はＴＢ１の再送信のため、単一空間レイヤー又は多重空間レイヤーでデータ情報を伝達するように上記基地局により上記ＵＥ装置に単一送信器アンテナ又は多重送信器アンテナから第２のＰＵＳＣＨ送信が割り当てられ、上記ＵＥ装置は、
【数４５】
2014082774.tif 000048
個のサブキャリアを通した上記第２のＰＵＳＣＨでＯビットの制御情報及びデータ情報をマルチプレキシングする。上記ＵＥは、上記２個のＴＢのうちで第１のＴＢのための再送信が存在する場合に、符号化された制御情報シンボルの個数を決定するために第１のパラメータ値
【数４６】
2014082774.tif 000049
を適用し、上記２個のＴＢのうちで第２のＴＢのための再送信が存在する場合に、符号化された制御情報シンボルの個数を決定するために第２のパラメータ値
【数４７】
2014082774.tif 000050
を適用することにより各空間レイヤーで符号化された制御情報シンボルの個数Ｑ’を決定する。ここで、上記第１のパラメータ値
【数４８】
2014082774.tif 000051
及び第２のパラメータ値
【数４９】
2014082774.tif 000052
は、無線リソース制御シグナリングを使用して上記基地局により上記ＵＥ装置に割り当てられる。また、ＴＢｊ、ｊ＝０，１のための再送信が存在する場合に、各空間レイヤーで上記符号化された制御シンボルの個数は
【数５０】
2014082774.tif 000053
のように取得され、
【数５１】
2014082774.tif 000054
は、対応する数を最も近いその数より大きな整数に変換するシーリング関数を示し、
【数５２】
2014082774.tif 000055
は、上記第２のＰＵＳＣＨのためのサブキャリアの個数を示し、Ｃｊは、全コードブロックの個数を示し、
【数５３】
2014082774.tif 000056
はコードブロックｒのためのビットの個数を示し、
【数５４】
2014082774.tif 000057
は初期ＰＵＳＣＨでのサブキャリアの個数を示し、
【数５５】
2014082774.tif 000058
は初期ＰＵＳＣＨでのシンボルの個数を示す。
【００４９】
本発明の実施形態の上述した及び他の様相、特徴、及び利点は、以下の添付図面が併用された後述の詳細な説明から、より一層明らかになるだろう。
【図面の簡単な説明】
【００５０】
【図１】従来のＰＵＳＣＨ送信構造を示す図である。
【図２】ＰＵＳＣＨでデータ信号、ＣＳＩ信号、及びＨＡＲＱ−ＡＣＫ信号を送信する従来の送信器構造を示すブロック図である。
【図３】ＰＵＳＣＨでデータ信号、ＣＳＩ信号、及びＨＡＲＱ−ＡＣＫ信号を受信する従来の受信器構造を示すブロック図である。
【図４】ＰＵＳＣＨでＵＣＩ及びデータの従来のマルチプレキシング動作を示す図である。
【図５】ＭＩＭＯ送信原則に対応するＣＷとレイヤーとの間のマッピングコンセプト（ｃｏｎｃｅｐｔ）を示す図である。
【図６】同一のリプリケーション及びＵＣＩシンボルとデータシンボルとの間のＴＤＭと２個のＣＷのすべてのレイヤーにわたった時間整列を適用するＵＣＩマルチプレキシングを示す図である。
【図７】データ情報のための送信ランクに対応してＰＵＳＣＨの各空間レイヤーで符号化されたＵＣＩシンボルの個数を決定する原則を示す図である。
【図８】各空間レイヤーで符号化されたＵＣＩシンボルの個数を決定するためにＰＵＳＣＨで各ＴＢの送信のために使用される平均ＭＣＳで決定される仮想ＭＣＳの使用を示す図である。
【図９】各ＴＢのための相互に異なるＢＬＥＲ動作ポイントを有する可能性を考慮する場合に２個のＴＢを有するＰＵＳＣＨ送信の各空間レイヤーで符号化されたＵＣＩシンボルの個数を決定する動作を示す図である。
【図１０】初期ＰＵＳＣＨ送信が単一ＴＢを含む２個のＴＢを使用して行われたＨＡＲＱプロセスの再送信に対応してＰＵＳＣＨで単一ＴＢ送信の場合のための各空間レイヤーで符号化されたＵＣＩシンボルの個数を決定する動作を示す図である。
【図１１】多重ＣＷのそれぞれでデータ送信のために使用される変調方式に基づいて符号化されたＵＣＩシンボルに対する変調方式の決定を示す図である。
【発明を実施するための形態】
【００５１】
以下では、本発明の様々な実施形態を添付の図面を参照してより詳細に説明する。しかしながら、本発明は、多くの他の形態で実現することができ、ここで記述された実施形態に限定されるものと解釈されてはいけない。これらの実施形態は、その記載が詳細でありかつ完全であり、本発明の範囲を当業者に完全に伝えるために提供されるものであることに留意すべきである。
【００５２】
また、本発明は、離散フーリエ変換拡散直交周波数分割多重接続（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＤＦＴ−Ｓ−ＯＦＤＭＡ）送信について説明しているが、一般的に、すべての周波数分割多重化（Ｆｒｅｑｕｅｎｃｙ  Ｄｉｖｉｓｉｏｎ  Ｍｕｌｔｉｐｌｅｘｉｎｇ：ＦＤＭ）送信、特に単一キャリア周波数分割多重接続（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ：ＳＣ−ＦＤＭＡ）送信、及び直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）送信にも適用される。
【００５３】
本発明の一実施形態に従って、各空間レイヤー（ｓｐａｔｉａｌ  ｌａｙｅｒ）で符号化されたアップリンク制御情報（Ｕｐｌｉｎｋ  Ｃｏｎｔｒｏｌ  Ｉｎｆｏｒｍａｔｉｏｎ：ＵＣＩ）シンボルの個数は、それぞれ２個のトランスポートブロック（Ｔｒａｎｓｐｏｒｔ  Ｂｌｏｃｋ：ＴＢ）ＴＢ０及びＴＢ１を伝達する２個のコードワード（Ｃｏｄｅ  Ｗｏｒｄ：ＣＷ）ＣＷ０及びＣＷ１を通したデータ情報の単一ユーザー多入力多出力（Ｓｉｎｇｌｅ−Ｕｓｅｒ  Ｍｕｌｔｉｐｌｅ  Ｉｎｐｕｔ  Ｍｕｌｔｉｐｌｅ  Ｏｕｔｐｕｔ：ＳＵ−ＭＩＭＯ）送信（ランク−２、ランク−３、及びランク−４を有するデータ情報の送信）を有するアップリンク物理共有チャネル（Ｐｈｙｓｉｃａｌ  Ｕｐｌｉｎｋ  Ｓｈａｒｅｄ  ＣＨａｎｎｅｌ：ＰＵＳＣＨ）から導出される。ランク−１送信（単一空間レイヤー）に対して単一ユーザー端末機（Ｕｓｅｒ  Ｅｑｕｉｐｍｅｎｔ：ＵＥ）送信器アンテナの場合のための、符号化されたＵＣＩシンボルの個数を導出するものと同一の形態の導出が適用される。上記説明は、基本的にハイブリッド自動再送要求認知（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｍｅｎｔ：ＨＡＲＱ−ＡＣＫ）又はランク指示子（Ｒａｎｋ  Ｉｎｄｉｃａｔｏｒ：ＲＩ）制御情報を考慮するが、同一の原則がチャネル品質指示子（Ｃｈａｎｎｅｌ  Ｑｕａｌｉｔｙ  Ｉｎｄｉｃａｔｏｒ：ＣＱＩ）／プリコーディングマトリックス指示子（Ｐｒｅｃｏｄｉｎｇ  Ｍａｔｒｉｘ  Ｉｎｄｉｃａｔｏｒ：ＰＭＩ）に直接的に拡張されることができることはもちろんである。
【００５４】
図７は、ＵＣＩ受信信頼性に対する希望ターゲット（ｄｅｓｉｒｅｄ  ｔａｒｇｅｔ）を取得するためにＳＵ−ＭＩＭＯ送信を有するＰＵＳＣＨの各空間レイヤーで符号化されたＵＣＩシンボルの個数を決定する一般的な原則を示す図である。
【００５５】
データ情報７１０の送信ランクに基づいて（初期ＰＵＳＣＨ送信のために）、ＵＥは、７２０に図示されているように、この送信ランクが１である場合に符号化されたＵＣＩシンボルの第１の個数を決定し、７３０に図示されているように、この送信ランクが１より大きい場合に符号化されたＵＣＩシンボルの第２の個数（各空間レイヤーのために）を決定する。
【００５６】
ＣＷ０（ＴＢ０）において、データ情報は、変調次数（ｍｏｄｕｌａｔｉｏｎ  ｏｒｄｅｒ）
【数５６】
2014082774.tif 000059
及び符号化率（ｃｏｄｉｎｇ  ｒａｔｅ）
【数５７】
2014082774.tif 000060
を有し、これとは異なり、ＣＷ１（ＴＢ１）において、データ情報は変調次数
【数５８】
2014082774.tif 000061
及び符号化率
【数５９】
2014082774.tif 000062
を有する。ここで、ＴＢｊ，（ｊ＝０，１）の初期送信に対して、ＣｊはＴＢｊのための全コードブロックの個数を示し、
【数６０】
2014082774.tif 000063
は、コードブロックｒのためのビットの個数を示し、
【数６１】
2014082774.tif 000064
はサブキャリアの個数を示し、
【数６２】
2014082774.tif 000065
はシンボルの個数を示す。
【００５７】
ＣＷ０（ＴＢ０）のみが送信される場合に、符号化されたＵＣＩシンボルの個数（各空間レイヤー当たり）は、
【数６３】
2014082774.tif 000066
である。ＣＷ１（ＴＢ１）のみが送信される場合に、符号化されたＵＣＩシンボルの個数は
【数６４】
2014082774.tif 000067
である。このデータ情報は、２個のＴＢのために相互に異なる変調及び符号化方式（Ｍｏｄｕｌａｔｉｏｎ  ａｎｄ  Ｃｏｄｉｎｇ  Ｓｃｈｅｍｅ：ＭＣＳ）を有することができると仮定する。すなわち、
【数６５】
2014082774.tif 000068
は、
【数６６】
2014082774.tif 000069
と異なることがあると仮定する。
【００５８】
符号化されたＵＣＩシンボルの個数を決定する目的は、２個のＣＷ（ＴＢ）が、ＵＣＩがＣＷのすべてのレイヤーにわたってリプリケートされ、この符号化されたＵＣＩシンボルが図６に図示されているようにすべてのレイヤーにわたって時間整列される（ｔｉｍｅ−ａｌｉｇｎｅｄ）という設計制限下のＰＵＳＣＨで送信されることにある。
【００５９】
このデータ情報のランク−２送信又はランク−４送信に対して、図５に図示されているように、このＣＷ（ＴＢ）の間に空間レイヤーの個数が同一に割り当てられると仮定する。このデータ情報のランク−３送信に対して、ＣＷ０（ＴＢ０）は１個の空間レイヤーに割り当てられ、これとは異なり、ＣＷ１（ＴＢ１）は２個の空間レイヤーに割り当てられ、このプリコーダは、ＣＷ０（ＴＢ０）に割り当てられた単一空間レイヤーのために送信電力が２倍となるようにする。例えば、ランク−３のためのプリコーダは、下記数式６に示すようなマトリックスとなることができる。
【００６０】
【数６７】
2014082774.tif 000070
【００６１】
ランク−２  ＳＵ−ＭＩＭＯ、ランク−３  ＳＵ−ＭＩＭＯ、又はランク−４  ＳＵ−ＭＩＭＯが使用されるか否かに関係なくＣＷ当たりの送信電力が同一であるために、この容量曲線（ｃａｐａｃｉｔｙ  ｃｕｒｖｅ）は、この２個のＣＷのための信号対干渉雑音比（Ｓｉｇｎａｌ−ｔｏ−Ｉｎｔｅｒｆｅｒｅｎｃｅ  ａｎｄ  Ｎｏｉｓｅ  Ｒａｔｉｏ：ＳＩＮＲ）動作ポイントの間で線形的（ｌｉｎｅａｒ）であり、この２個のＣＷのそれぞれのための２個のＴＢにおいてデータ情報の結合送信の仮想ＭＣＳであるＭＣＳｖｉｒｔｕａｌは、各ＭＣＳの平均として見られることができると仮定する。次いで、上述した設計制限及び各空間レイヤーで符号化されたＵＣＩシンボルの個数がこのデータ情報のＭＣＳに反比例することを考慮するという前提の下に、この２個のＣＷの空間レイヤーのそれぞれで使用される符号化されたＵＣＩシンボルの個数は、下記数式７に示すように決定されるか又はファクター２を
【数６８】
2014082774.tif 000071
値に含ませることにより下記数式７と等価となる数式８に示すように決定される。
【００６２】
【数６９】
2014082774.tif 000072
【００６３】
【数７０】
2014082774.tif 000073
【００６４】
図８は、ＣＷ０（ＴＢ０のための）、ＭＣＳ０でデータ情報の送信のために使用されるＭＣＳと、ＣＷ１（ＴＢ１のための）、ＭＣＳ１でデータ情報の送信のために使用されるＭＣＳとの平均として決定される仮想ＭＣＳを使用するコンセプト（ｃｏｎｃｅｐｔ）を図示している。
【００６５】
ＣＷ０  ８１０のためのＭＣＳ及びＣＷ１  ８２０のための平均８３０は、ＣＷ０及びＣＷ１  ８４０を有するデータ送信のための仮想ＭＣＳであるＭＣＳｖｉｒｔｕａｌを提供するために計算される。その後に、この仮想ＭＣＳは、上述した数式８に示すように空間レイヤー８５０で符号化されたＵＣＩシンボルの個数を計算するために使用されることができる。
【００６６】
本発明の他の実施形態において、各空間レイヤーで必要とされる符号化されたＵＣＩシンボルの個数に対する正確性が追加で改善され、したがって、各ＣＷ（ＴＢ）が相互に異なるターゲットブロックエラーレート（ＢＬｏｃｋ  Ｅｒｒｏｒ  Ｒａｔｅ：ＢＬＥＲ）を有することができる。ＵＣＩターゲットＢＬＥＲが予め決定されており、各ＣＷ（ＴＢ）でデータ情報ＢＬＥＲから独立していると仮定する場合に、ＣＷ０（ＴＢ０）のみが送信される時に各空間レイヤーで符号化されたＵＣＩシンボルを決定するために使用されるオフセット値
【数７１】
2014082774.tif 000074
は、ＣＷ１（ＴＢ１）のみが送信される時に各空間レイヤーで符号化されたＵＣＩシンボルの個数を決定するために使用されるオフセット値
【数７２】
2014082774.tif 000075
と異なることができる。２個のＣＷを有するＳＵ−ＭＩＭＯ送信に対して各空間レイヤーで符号化されたＵＣＩシンボルの個数は、下記数式９に示すように、又はファクター２を
【数７３】
2014082774.tif 000076
値に含ませることにより数式９と等価となる数１０に示すように個別ＣＷ送信に対応して各空間レイヤーで符号化されたＵＣＩシンボルの全個数の平均に基づいて決定される。
【００６７】
【数７４】
2014082774.tif 000077
【００６８】
【数７５】
2014082774.tif 000078
【００６９】
図９は、各ＣＷ（ＴＢ）においてデータ情報に対して異なるＢＬＥＲターゲットを有する可能性を考慮する場合に、このデータ情報に対して２個のＣＷ（２個のＴＢ）を有するＳＵ−ＭＩＭＯ送信を使用するＰＵＳＣＨの各空間レイヤーで符号化されたＵＣＩシンボルの個数を決定する動作を示している図である。
ＣＷ１９１０に対するＭＣＳは、
【数７６】
2014082774.tif 000079
９２０によりスケーリングされ（ｓｃａｌｅｄ）、その結果は、ＣＷ０  ９３０のためのＭＣＳに加算される。その後に、この出力は、Ｔ１／２  ９４０によりスケーリングされ（ファクター２を
【数７７】
2014082774.tif 000080
値に含ませる（ａｂｓｏｒｂ）ことにより省略することができる）、その結果は、数式１０で説明したようなオフセット値
【数７８】
2014082774.tif 000081
９５０に基づいて各空間レイヤーで符号化されたＵＣＩシンボルの個数を取得するための新規仮想ＭＣＳとして使用される。
【００７０】
これとは異なり、この容量曲線が２個のＣＷ（ＴＢ）でこのデータ情報に対するＢＬＥＲターゲットに対応する２個のＳＩＮＲポイントの間で線形的であると仮定する場合に、２個のＣＷ（ＴＢ）に共通である新規オフセット値
【数７９】
2014082774.tif 000082
は、ＳＵ−ＭＩＭＯ  ＰＵＳＣＨ送信の場合で定義されることができ、例えば、
【数８０】
2014082774.tif 000083
のように定義されることができ、各空間レイヤーで符号化されたＵＣＩシンボルの個数は、下記数式１１に示すように取得されることができる。
【００７１】
【数８１】
2014082774.tif 000084
【００７２】
これから、ファクター２がこの新規
【数８２】
2014082774.tif 000085
パラメータに含まれる（ａｂｓｏｒｂ）。
【００７３】
本発明の他の実施形態において、（単一空間レイヤー又は多重空間レイヤーで）データ情報のＰＵＳＣＨ送信のために単一ＣＷ（ＴＢ）だけが使用される場合に、各空間レイヤーで符号化されたＵＣＩシンボルの個数は、同一のＨＡＲＱプロセスに対するＴＢ再送信に対応して（他のＣＷにおいてデータ情報に対応するＴＢが同一のＨＡＲＱプロセスに対して前のＰＵＳＣＨ送信で正確に受信されたと仮定する）決定される。その後に、各空間レイヤーで符号化されたＵＣＩシンボルの個数は、各ＣＷに対して単一のＵＥアンテナからのＰＵＳＣＨ送信のために使用された解決方式（ａｐｐｒｏａｃｈ）と同一の解決方式を使用して決定される。したがって、同一のＨＡＲＱプロセスに対するＴＢ再送信に対応してＣＷ０（ＴＢ０）のみがＰＵＳＣＨ送信に含まれる場合に、各空間レイヤーで符号化されたＵＣＩシンボルの個数は、下記数式１２に示すように決定される。
【００７４】
【数８３】
2014082774.tif 000086
【００７５】
同一のＨＡＲＱプロセスに対するＴＢ再送信に対応するＰＵＳＣＨ送信にＣＷ１（ＴＢ１）のみが含まれている場合に、各空間レイヤーで符号化されたＵＣＩシンボルの個数は、下記数１３に示すように決定される。
【００７６】
【数８４】
2014082774.tif 000087
【００７７】
図１０は、初期ＰＵＳＣＨ送信がＳＵ−ＭＩＭＯ及び２個のＣＷ（２個のＴＢ）を使用して行われたＨＡＲＱ再送信に対応してＰＵＳＣＨで単一ＣＷ（ＴＢ）が送信される場合のために各空間レイヤーで符号化されたＵＣＩシンボルの個数を決定する動作を示す図である。
【００７８】
単一ＣＷ（ＴＢ）、すなわち参照符号１０１０に図示されているようなＣＷ０（ＴＢ０）又はＣＷ１（ＴＢ１）を有するＨＡＲＱ再送信の間にＵＣＩがＰＵＳＣＨに含まれており、ＣＷ０（ＴＢ０）のみが再送信される場合では、各空間レイヤーで符号化されたＵＣＩシンボルの個数は、参照符号１０２０に図示されているように、このデータ情報のＭＣＳ及びＣＷ０（ＴＢ０）のためのオフセットに対応して決定され、これとは異なり、ＣＷ１（ＴＢ１）のみが再送信される場合では各空間レイヤーで符号化されたＵＣＩシンボルの個数は、参照符号１０３０に図示されているようにこのデータ情報のＭＣＳ及びＣＷ１（ＴＢ１）のためのオフセットに対応して決定される。
【００７９】
本発明の他の実施形態において、特に、符号化（例えば、ブロック符号化）が多重ビットＨＡＲＱ−ＡＣＫ送信又はＲＩ送信のために使用される場合に、簡素化したＮｏｄｅ  Ｂ受信器処理が考慮される。相互に異なるデータ変調次数を使用することができる相互に異なるＣＷ（ＴＢ）に対応する相互に異なる空間レイヤーでＵＣＩ送信の間の干渉を避け、ＵＣＩ復号化レイテンシー（ｌａｔｅｎｃｙ）を最小化させるために、この２個のＣＷ（ＴＢ）のそれぞれで相互に異なるデータ変調次数が使用される場合でも同一の変調次数Ｑｍのコンステレーションポイント（ｃｏｎｓｔｅｌｌａｔｉｏｎ  ｐｏｉｎｔ）が、この符号化されたＵＣＩシンボルの送信のために使用されることができる。このような方式で、この受信器は、すべての空間レイヤーにわたったジョイントＵＣＩ検出（ｊｏｉｎｔ  ＵＣＩ  ｄｅｔｅｃｔｉｏｎ）のために単一Ｑｍに対応するコンステレーションポイントの単一集合（ｓｅｔ）を考慮することができる。この符号化されたＵＣＩシンボルの送信のためのＱｍは、この２個のＣＷ（ＴＢ）のそれぞれのためのデータ変調次数より低い次数の変調次数に対応することができる。例えば、ＣＷ０（ＴＢ０）でデータ送信のためにＱＡＭ６４（Ｑｍ＝６）が使用され、ＣＷ１（ＴＢ１）でＱＡＭ１６（Ｑｍ＝４）がデータ送信のために使用される場合に、すべての空間レイヤー（２個のＣＷ）で符号化されたＵＣＩシンボルの送信は、上記表１で説明されているようにＱｍ＝４のためのコンステレーションポイントを使用する。ＣＷ０（ＴＢ０）でデータ送信のためにＱＡＭ１６（Ｑｍ＝４）が使用され、ＣＷ１（ＴＢ１）でデータ送信のためにＱＰＳＫ（Ｑｍ＝２）が使用される場合に、すべての空間レイヤー（２個のＣＷ／ＴＢ）で符号化されたＵＣＩシンボルの送信は、上記表１で説明されているようにＱｍ＝２のためのコンステレーションポイントを使用する。
図１１は、ＣＷ０（ＴＢ０）のための
【数８５】
2014082774.tif 000088
及びＣＷ１（ＴＢ１）のための
【数８６】
2014082774.tif 000089
に対するデータ情報変調次数に基づいてこの符号化されたＵＣＩシンボルのＱｍを決定する動作を示す図である。
【００８０】
まず、ＵＥは、ステップ１１１０において
【数８７】
2014082774.tif 000090
が
【数８８】
2014082774.tif 000091
以下（
【数８９】
2014082774.tif 000092
）であるかを決定し、
【数９０】
2014082774.tif 000093
が
【数９１】
2014082774.tif 000094
以下である場合には、ステップ１１２０においてこの符号化されたＵＣＩシンボルの変調のために
【数９２】
2014082774.tif 000095
を選択する。これとは異なり、
【数９３】
2014082774.tif 000096
が
【数９４】
2014082774.tif 000097
を超過する（
【数９５】
2014082774.tif 000098
）場合には、ステップ１１３０においてこの符号化されたＵＣＩシンボルの変調のために
【数９６】
2014082774.tif 000099
を選択する。
【数９７】
2014082774.tif 000100
が
【数９８】
2014082774.tif 000101
と同一でなく（
【数９９】
2014082774.tif 000102
）、この符号化されたＵＣＩシンボルのための変調次数が
【数１００】
2014082774.tif 000103
及び
【数１０１】
2014082774.tif 000104
より小さい場合に、以前の数式において、符号化されたＵＣＩシンボルの個数は、同一のＵＣＩビットエラーレート（Ｂｉｔ  Ｅｒｒｏｒ  Ｒａｔｅ：ＢＥＲ）を保持するために（２個のＭＣＳのうちの１個のＭＣＳのために低い値を使用するものからのＵＣＩ性能損失がＳＵ−ＭＩＭＯからの空間ビームフォーミング（ｂｅａｍ−ｆｏｒｍｉｎｇ）利得により提供される性能利得によるオフセットに考慮されることができない限り）それに対応して調整されることができる（増加されることができる）。例えば、
【数１０２】
2014082774.tif 000105
である場合に、上述した数式１１は、下記数式１４に示すように変更されることができる。
【００８１】
【数１０３】
2014082774.tif 000106
【００８２】
それにもかかわらず、符号化されたＵＣＩシンボルの個数を決定する原則は同一に保持される。
【００８３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００８４】
１１０  サブフレーム（ｏｎｅ  ｓｕｂ−ｆｒａｍｅ）
１２０  スロット
１３０  シンボル
１６０  ＲＳ（Ｓｏｕｎｄｉｎｇ  ＲＳ：ＳＲＳ）
２０５  ＣＳＩビット
２１０  データビット
２２０  マルチプレキシング
２３０  ＣＳＩビット
２４０  ＤＦＴユニット
２５０  サブキャリアマッピングユニット
２５５  制御器
２６０  ＩＦＦＴユニット
２７０  ＣＰ挿入ユニット
２８０  フィルター
２９０  送信信号
２９５Ａ  １個のクラスター
２９５Ｂ  複数の不連続クラスター
３１０  受信ディジタル信号
３２０  フィルター
３３０  ＣＰ除去ユニット
３４０  高速フーリエ変換（Ｆａｓｔ  Ｆｏｕｒｉｅｒ  Ｔｒａｎｓｆｏｒｍ：ＦＦＴ）ユニット
３５０  サブキャリアデマッピング（ｄｅｍａｐｐｉｎｇ）ユニット
３５５  制御器
３６０  逆ＤＦＴ（Ｉｎｖｅｒｓｅ  ＤＦＴ：ＩＤＦＴ）ユニット
３７０  抽出ユニット
３８０  デマルチプレキシング（ｄｅ−ｍｕｌｔｉｐｌｅｘｉｎｇ）ユニット
３９０  データビット
３９５  ＣＳＩビット
４１０  ＨＡＲＱ−ＡＣＫビット
４４０  データビット
５１０  ランク−１送信
５２０  ランク−２送信
５３０  ランク−３送信
５４０  ランク−４送信
６１０  ＨＡＲＱ−ＡＣＫ
６２０  第１の空間レイヤー（Ｌａｙｅｒ０）
６３０  ＨＡＲＱ−ＡＣＫ
６４０  第２の空間レイヤー（Ｌａｙｅｒ１）
７１０  データ情報
８３０  平均
８５０  空間レイヤー
【図１】
2014082774.tif 000139
【図２】
2014082774.tif 000140
【図３】
2014082774.tif 000141
【図４】
2014082774.tif 000142
【図５】
2014082774.tif 000143
【図６】
2014082774.tif 000144
【図７】
2014082774.tif 000145
【図８】
2014082774.tif 000146
【図９】
2014082774.tif 000147
【図１０】
2014082774.tif 000148
【図１１】
2014082774.tif 000149